(57)【要約】【課題】遊技施設の遊技島に容易に着脱交換できる遊技機を提供する。【解決手段】キャビネット部材の上面に貫通孔部１１ｈが形成され、この貫通孔部１１ｈの下部に固定装置１００が取り付けられる。固定装置１００は、ベース部材１０１に摺動移動自在に支持されて先端の係合部１１５が貫通孔部１１ｈから出没移動可能な固定部材１１０、ベース部材１０１に回動可能に支持された操作部材１２０、固定部材１１０と操作部材１２０との間に張り渡されて操作力を伝達するバネ１３０、操作部材におけるロック溝１２１ａと係合して操作部材１２０の回動を規制するロック機構１４０などから構成され、操作部材１２０が回動操作されロック機構１４０により回動がロックされたときに、バネ１３０の弾性力により固定部材１１０を上方に付勢した状態でキャビネットを固定する。【選択図】　図７
2004041690.tif 000002
【特許請求の範囲】
【請求項１】
特定対象物を支持部材に固定支持するために該特定対象物に装着可能な固定装置であって、
前記特定対象物に一体に固定装着可能なベース部材と、
前記ベース部材内で滑動することにより先端の係合部が前記ベース部材の端部から出没移動できるように配設される固定部材と、
前記ベース部材内で回転操作可能に配設された操作部材と、
前記固定部材と前記操作部材との間に配設されて前記操作部材に作用する操作力を前記固定部材に伝達する弾性部材と、
前記係合部が前記ベース部材から突出した状態を保持させるように前記操作部材の回転を規制する保持手段とを備え、
前記固定部材は、前記操作部材を回転操作させることにより前記ベース部材から先端の係合部を突出させ、前記支持部材に押圧力を有して係合させ、前記保持手段により前記押圧力を保持した状態で前記特定対象物を固定支持させることを特徴とする固定装置。
【請求項２】
前記弾性部材は引っ張りバネであり、
前記操作部材は、前記引っ張りバネを外周部に巻きつけ可能に形成されたプーリ部と、前記プーリ部を回動させる操作レバー部とからなることを特徴とする請求項１に記載の固定装置。
【請求項３】
前記保持手段は、前記プーリ部の外周部に形成されたロック溝と、該ロック溝と係脱可能なキー部材とからなり、前記プーリ部が所定角度回動されたときに前記キー部材が前記ロック溝と係合して前記操作部材の回動を規制することを特徴とする請求項２に記載の固定装置。
【請求項４】
前記ベース部材と前記プーリ部との間に補助引っ張りバネを更に備え、該補助引っ張りバネは前記プーリ部を前記固定手段を突出させる方向と逆方向に回動させるように引張力を作用させることを特徴とする請求項２又は３のいずれか１項に記載の固定装置。
【発明の詳細な説明】
【０００１】
【発明の属する技術分野】
本発明は遊技機等の特定対象物を支持部材に固定支持するために該特定対象物に装着可能な固定装置に関する。
【０００２】
【従来の技術】
遊技機の一例としてスロットマシンが知られている。スロットマシンは、前面側に開口を有して略矩形箱状に形成されたキャビネットボックスと、このキャビネットボックスの前面開口を覆うように開閉可能に取り付けられた扉状のフロントマスクとからなる筐体を備え、この筐体内に、図柄が描かれた複数のリール（回胴とも称される）を回転・停止させるリール装置、マシンの制御をつかさどる各種制御基板、入賞条件に応じてメダルの払い出しを行うメダル払い出し装置（ホッパとも称される）などの遊技構成装置が取り付けられて構成されている。フロントマスクにはリール外周に描かれた図柄を所定範囲に限って表示させる表示窓のほか、メダル投入口やリールの回転をスタートさせるスタートレバー、リールの回転を停止させるストップスイッチなどが取り付けられており、フロントマスクとキャビネットボックスとが互いの左側縁に配設されたヒンジ部材により横開き開閉可能に接続されるとともに、互いの右側縁に配設された施錠装置を利用して閉鎖施錠された状態で遊技に供される。
【０００３】
スロットマシンのキャビネットボックスは、一般に、厚さ９〜１５ｍｍ程度のパーチクルボードや積層合板等の木材が主要材料として用いられており、定尺板材を天板、底板、左右側板および背面板等の所定形状寸法に切断・孔あけ・溝掘り等加工したのち、これらをボックス形状に組み立てて構成されている。一方、スロットマシンが設置される遊技施設には、遊技島と称される遊技機の設置設備が設けられている。遊技島は、スロットマシンを支持する支持台上に、キャビネットボックスの外郭寸法にあわせた支持枠が形成され、あるいはキャビネットボックスの高さ寸法にあわせて支持台と平行に左右に張り渡された支持桟が設けられて構成されている。
【０００４】
遊戯施設に搬入されたスロットマシンは、遊技島の支持台上に載せられて前後位置および正面方向が位置決めされたのち、支持枠または支持桟の上方からキャビネットボックスの天板に向けて釘や木ねじ等の固定手段を打ち込むことにより、または、底板から支持台に向けて同様の固定手段を打ち込むことにより遊技島に固定設置され、前述したようにフロントマスクが閉鎖施錠された状態で遊技に供される。
【０００５】
【発明が解決しようとする課題】
しかしながら、上記のような固定手段を用いた従来の遊技機では、既設の遊技機を新規の遊技機に入れ替えるいわゆる新台入れ替え作業に際して、多大な作業工数がかかるという問題があった。すなわち、新台入れ替え作業は、島大工と称される専門の作業者が既設の遊技機を固定していた釘や木ねじ等を逐一引き抜いて撤去したうえ、再び新たな釘や木ねじ等を打ち込んで新規の遊技機を固定するため、遊技機一台あたりの入れ替え工数がかかるという問題があった。また、新台入れ替え作業は当日の営業終了後〜翌日の開店までの限られた深夜時間内に行わなければないため、入れ替え台数が多いときには多数の島大工を動員して深夜作業を行わせる必要があり、発生費用が高額になるという問題があった。
【０００６】
また、近年では、産業廃棄物を減少させるとともに、木材資源を有効に活用する観点から資源リサイクルの問題が大きくクローズアップされている。ところが従来のキャビネットボックスには、木材中に金属ブッシュをはじめとする多数の金属部材が埋め込みないし接着接合されており、これを分離して木材をリサイクルすることは再生コスト面から現実的には困難と考えられている。このため、近年ではリサイクルルートが確立されている鋼板等の金属材料を主体とし、複数の金属パネルを接合して構成するキャビネットボックスが実用に向けて検討されつつある。しかしながら、このような金属材料製のキャビネットボックスでは、釘や木ねじ等を打ち込んで遊技機を固定することができないため、既存の遊技島に固定設置することが困難であるという新たな問題が生じていた。
【０００７】
また、上記説明では遊技機を遊技島に固定する際の問題について言及されてきたが、これは遊技機を遊技島に固定する場合のみに生じる問題ではなく特定対象物を既存の支持部材に固定支持させるときには同様の問題が生じる。例えば、家具を配置する場合に震災時の倒壊を防止するため既存部屋の枠部材や他の家具等に支持させる場合にも同様の問題が発生する。
【０００８】
従って、本発明は上記のような問題および課題に鑑みて成されたものであり、専門的な作業者によらずとも、容易に且つわずかな作業工数で遊技機等の特定対象物を遊技島等の支持部材に着脱交換できるように支持部材に固定設置するために特定対象物に装着する固定装置を提供することを目的とする。
【０００９】
【課題を解決するための手段】
上記目的達成のため、本発明は、特定対象物を支持部材に固定支持するために該特定対象物に装着可能な固定装置であって、前記特定対象物に一体に固定装着可能なベース部材と、前記ベース部材内で滑動することにより先端の係合部が前記ベース部材の端部から出没移動できるように配設される固定部材と、前記ベース部材内で回転操作可能に配設された操作部材と、前記固定部材と前記操作部材との間に配設されて前記操作部材に作用する操作力を前記固定部材に伝達する弾性部材と、前記係合部が前記ベース部材から突出した状態を保持させるように前記操作部材の回転を規制する保持手段とを備え、前記固定部材は、前記操作部材を回転操作させることにより前記ベース部材から先端の係合部を突出させ、前記支持部材に押圧力を有して係合させ、前記保持手段により前記押圧力を保持した状態で前記特定対象物を固定支持させることを特徴とする固定装置を提供する。
【００１０】
上記構成の固定装置では、遊技機等の特定対象物の内部又は外部に装着し、該特定対象物を支持する支持部材（例えば、前述した遊技島の支持枠や支持桟）に当接させることにより特定対象物を支持部材に固定する。具体的には、固定装置の操作部材を回転操作し、固定部材と操作部材との間に配設された弾性部材により該操作部材の回転操作力を固定部材の支持部材方向への滑動運動として伝達する。支持部材方向に固定部材が滑動すると、その係合部は支持部材に押圧力を有して係合し、保持手段により押圧力を保持した状態で特定対象物を固定支持させることとなる。このため、上記構成の固定装置によれば、特定対象物の支持部材に固定支持させる作業等に際して、操作部材を回動操作して係合部を出没移動させる簡単な操作で特定対象物を支持部材に固定設置することができる。また、釘や木ねじ等を遊技機に打ち込んで特定対象物と支持部材とを固定する必要はないため、材質によらず適用することができ、かつ種々の支持部材に特定対象物を適応させて固定することができ、既存の支持部材を変形や付加部材を取り付ける必要なく特定対象物を固定することができる。
【００１１】
また、伝達部材により固定部材（係合部）が支持部材に押圧力を有して係合され、保持手段によりこの押圧力を維持した状態で係合状態が保持される。このため、特定対象物と支持部材との隙間（例えば、遊技島の支持枠の上下寸法や左右寸法、あるいは支持台と支持桟との間の高さ寸法など）にばらつきがあっても、係合部が突出する領域では弾性部材が弾性変形して上記ばらつきを吸収し、所定以上の押圧力を有して係合状態を保持させる。従って、固定部材による特定対象物の固定状態を作業者の勘等に依拠して調整させることなく、一定範囲のばらつきを吸収して迅速・容易に且つ確実に特定対象物を支持部材に固定設置することができる。また、例えば固定部材としてねじを用いた場合のねじの緩みに起因する固定部材の突出量の変化、係合部が当接する支持部材のへこみや支持部材の寸法の経時変化、などによる遊技機の固定状態の緩みを防止し、長期にわたって確実な固定状態を維持させることができる。
【００１２】
なお、上記弾性部材として前記弾性部材は引っ張りバネを用い、操作部材は、前記引っ張りバネを外周部に巻きつけ可能に形成されたプーリ部と、前記プーリ部を回動させる操作レバー部とから構成することが好ましい。このような構成によれば、複雑な機構構成によることなく、少ない部品点数で簡明な機構構成の固定装置を得ることができるとともに、引っ張りバネをプーリ部の外周に巻き付けて巻き上げる構成により、コンパクトな固定装置を提供することができる。
【００１３】
また、上記保持手段は、プーリ部の外周部に形成されたロック溝と、該ロック溝と係脱可能なキー部材とからなり、プーリ部が所定角度回動されたときにキー部材がロック溝と係合して操作部材の回動を規制するように構成された固定装置であることが好ましい。本構成によれば、保持手段としてプーリ部の外周部を利用することにより、簡明かつ小型に固定装置を構成することができる。また、プーリ部の外周部に回動角度に応じた複数のロック溝を形成することで、例えば特定対象物と支持部材との間の隙間のばらつきが大きい場合でも、複数のロック溝の一つを選択して利用することにより略一定の係合圧力で固定部材を係合させ、特定対象物を支持部材に固定保持させることもできる。
【００１４】
なお、固定装置を特定対象物に設ける位置すなわち固定部材の係合部の突出方向や、配設数量は支持部材の構成に応じて適宜に設けることができ、特定対象物の天板や底板あるいは左右の側板に単数または複数配設することができる。また、特定対象物の上下左右のいずれか一面に固定装置を設ける場合には、反対面側にゴムや突起等の滑り止め手段を設けてもよい。
【００１５】
さらに、上記固定装置はベース部材とプーリ部との間に補助引っ張りバネを備えることが好ましい。この補助引っ張りバネはプーリ部を固定手段を突出させる方向と逆方向に回動させるように引張力を作用させるように配設される。これにより固定部材はその係合部が支持部材から離間する方向すなわち引っ込む方向に力を加えられるために操作部材によらずに勝手に突出することを回避することができる。例えば、特定対象物を該特定部材の下方にある支持部材に固定させるために本固定装置通常を通常と反対向き、すなわち係合部が下向きになるように特定対象物に装着した場合にも操作部材の操作と無関係に下降することを防止できる。また、運搬時においても固定部材の突出、引っ込みを回避することができる。
【００１６】
【発明の実施の形態】
以下、本発明の好ましい実施形態について図面を参照しながら説明する。第一の実施形態における本発明の固定装置では遊技機の固定を目的とした例を示しており、本発明の特定対象物としての遊技機（詳細には遊技機のキャビネット部材）を支持部材としての遊技島に固定装着するためのキャビネット固定装置１００について説明する。まず、本実施形態の固定装置１００の説明の前提として、図１〜３では本発明の固定装置を備えた遊技機の一例たるスロットマシン（いわゆるパチスロ機）を例示しており、これら各図を参照しつつスロットマシンの概要構成から説明する。なお、図１（ａ）はスロットマシン１の正面図、図１（ｂ）はスロットマシン１の右側面図、図２は図１（ｂ）中の矢印ＩＩ−ＩＩ方向に見たキャビネット側アッセンブリ１０の正面図、図３は図１（ｂ）中の矢印ＩＩＩ−ＩＩＩ方向に見たドア側アッセンブリ３０の背面図である。
【００１７】
図示するスロットマシン１は、いわゆる３リール型のスロットマシンであり、マシンの筐体内部に３つのリール２２ａ，２２ｂ，２２ｃを回動・停止させるリール装置２２やマシンの作動を制御する主制御基板２３等の遊技構成装置が取り付けられている。各リールの円筒外周面にはそれぞれ異なる配列パターンで複数種類の図柄が描かれており、正面の表示窓４１から所定範囲の図柄（例えば隣接する３図柄の範囲）のみが表示されるようになっている。
【００１８】
遊技は遊技者のメダル投入に続くスタート操作によって開始され、３つのリール２２ａ，２２ｂ，２２ｃが同時に回転起動された後、それぞれ個別の停止操作に基づいて各リールの回転が停止され、全リールが回転停止した時に表示窓４１に表示される図柄の組み合わせに応じて所定数量の遊技メダルが払い出されることで行われる。
【００１９】
スロットマシン１は、その構成を大別すると、スロットマシンの本体を成すキャビネット側アッセンブリ１０と、このキャビネット側アッセンブリ１０に対して開閉可能に取り付けられるドア側アッセンブリ３０とからなる。
【００２０】
キャビネット側アッセンブリ１０は、略矩形箱状のキャビネットボックス１１の内部に、外部から電力供給を受けてマシン内部の各装置に必要な電力を供給する電源ボックス２１、図柄が描かれた３つのリール２２ａ，２２ｂ，２２ｃを回転・停止させるリール装置２２、遊技者の遊技操作に基づいてリール装置２２を作動させるとともに、スロットマシン全体の制御をつかさどる主制御基板２３、主制御基板からの指令に基づいてメダルの払い出しを行うメダル払い出し装置２４などの遊技構成装置が取り付けられるとともに、後に詳述するキャビネット固定装置１００が取り付けられて構成されている。
【００２１】
一方、ドア側アッセンブリ３０は、ドアフレーム状に成形されたフロントマスク３１に、リール外周面に描かれた図柄を所定範囲に限って視認可能に透過表示させる表示窓４１、表示窓４１の下側に左右に並んで配設された複数のスイッチやレバーなどからなる操作部、表示窓４１の上方に配設された表示装置４８およびスピーカ４９，４９、遊技メダルを払い出すメダル払出口５０の下側に位置してメダル払出口５０から排出される遊技メダルを受容し貯留する受け皿３８などが取り付けられて構成されている。
【００２２】
操作部には、遊技メダルを投入するメダル投入口４２、リールの回転起動操作を行うスタートレバー４４、３つのリール２２ａ，２２ｂ，２２ｃに対応して設けられリールの回転停止を各リールごとに操作可能なストップスイッチ４５ａ，４５ｂ，４５ｃ、獲得した遊技メダルの払い出し操作を行う精算スイッチ４７、メダル投入口４２から投入した遊技メダルを返却させるときに操作するメダル返却スイッチ４６などが設けられている。また、ドア側アッセンブリ３０の背面側には、メダル投入口４２から投入された遊技メダルを受容する受付状態とメダル払出口５０から返却させる返却状態とに切り替えたり、投入された遊技メダルの真贋を判定して正規メダル以外の遊技メダルを返却させたりする機能を有するメダルセレクタ５１、メダルセレクタ５１からの遊技メダルを貯留または返却させる経路部材等が設けられるとともに、遊技状態を演出する多数のランプやＬＥＤ、これ等表示器の作動を制御する中央表示基板５２及び上部表示基板５３などが取り付けられている。
【００２３】
キャビネット側アッセンブリ１０とドア側アッセンブリ３０とは、正面視における互いの左側縁の上下に設けられたヒンジ部材６１，６１で横開き開閉可能に連結されるとともに、両アッセンブリの遊技構成装置や基板等が図示しないワイヤーハーネスで電気的に接続されて作動可能に構成される。ドア側アッセンブリ３０は、正面視における右側縁に取り付けられた施錠装置６２を利用してキャビネット側アッセンブリ１０の前面開口を覆うように閉鎖施錠され、スロットマシン１が遊技に供される。
【００２４】
このように構成されるスロットマシン１において、メダル投入口４２から遊技メダルが投入されて受容され、その受容信号がメダルセレクタ５１から主制御基板２３に入力されると、主制御基板２３は各遊技構成装置を遊技可能な状態に設定し、以下説明するようにスロットマシン１を制御する。
【００２５】
主制御基板２３は、スタートレバー４４が揺動操作されるとその操作信号に基づいた指令信号をリール装置２２に出力して３つのリール２２ａ，２２ｂ，２２ｃを３個同時に回転起動させ、全リールを所定の回転速度で連続回転させる。全リールが所定回転数で正常回転していることが検出されると、ストップスイッチ４５ａ，４５ｂ，４５ｃのスイッチ操作を有効な状態に設定しその旨を表示させる。遊技者は回転している３つのリールを任意に選択し、所望の順序およびタイミングで対応するストップスイッチ４５ａ，４５ｂ，４５ｃを操作することができる。主制御基板２３はストップスイッチからの操作信号に基づいて対応するリールの回転を停止させる。
【００２６】
回転していたリール２２ａ，２２ｂ，２２ｃが全て停止すると、このときに表示窓４１に表示されている図柄について、遊技メダルの投入枚数に応じた有効ライン（上・中・下３本の水平ラインおよび左傾・右傾２本の斜めライン）について入賞判定を行う。そして、有効ライン上の図柄の組み合わせが入賞図柄の組み合わせに該当するときには、その入賞した図柄の組み合わせを上部表示基板５３を介して表示装置４８に表示させるとともに、スピーカ４９，４９から効果音を発生させて入賞状態を遊技者に知らせる。遊技者は入賞図柄の組み合わせに応じた枚数の遊技メダルを獲得し、当該組み合わせに該当しないときには遊技メダルを獲得することができない。
【００２７】
主制御基板２３は、獲得した遊技メダルの獲得枚数を中央表示基板５２を介して図示しない獲得枚数表示器にＬＥＤ表示させるとともに、貯留枚数表示器に既獲得メダルの貯留枚数として積算数量をＬＥＤ表示させる。このようにして内部貯留された遊技メダルは、次回以降の遊技メダルとして遊技に供され、主制御基板２３は次回遊技時に貯留枚数から投入枚数相当のメダル数量を減算させて貯留枚数表示器に表示させる。なお、内部貯留された遊技メダルは精算スイッチ４７を操作することにより随時精算することができ、主制御基板２３は精算スイッチ４７からの操作信号に基づいてメダル払出装置２４を作動させ、内部貯留された枚数分の遊技メダルをメダル払出口５０から払い出させる。
【００２８】
さて、以上のように構成されるスロットマシン１において、キャビネットボックス１１の上部左右に、スロットマシン１を遊技島に固定設置するためのキャビネット固定装置１００（第一実施形態）が取り付けられている。この実施形態に示すキャビネットボックス１１は、板厚０．８〜１．６ｍｍ程度の冷間圧延鋼板やメッキ鋼板等の金属材料を主要構成材料として用い、これをパンチングやベンディング、プレス等の公知の加工手段によりパネル部材に成形したのち、各板金部材をスポット溶接等の接合手段により接合して図４に示すボックス状に組み立てている。例示するキャビネットボックス１１では、天板と背面板とを兼ねる背面パネル１１ａ、左右一対の側面パネル１１ｂ，１１ｃ、底面パネル１１ｄ、取っ手部材１１ｅなど各部材をスポット溶接により接合して構成している。
【００２９】
背面パネル１１ａにおける天板部の左右には、この天板部の上下を貫通してスリット状の貫通孔部１１ｈ，１１ｈが形成されており、この貫通孔部の内側にねじや係止フック等の図示しない固定手段を用いてキャビネット固定装置１００，１００が取り付けられる。以下、図４から図８の各図を参照しながらキャビネット固定装置１００について説明する。ここで、図５は図４中の矢印Ｖ−Ｖ方向に見た格納姿勢におけるキャビネット固定装置１００の正面図、図６は図５中の矢印ＶＩ方向に見たキャビネット固定装置１００の下面図、図７および図８はキャビネット固定装置１００を用いてキャビネットボックス１１を固定する際の作用を示す説明図（ともに図５と同様の正面図）である。なお、以降キャビネット固定装置１００の説明にあたっては、図５における上下・左右方向をそれぞれ上下・左右と称し、図５における紙面の表面側（手前側）を前方、裏面側を後方と称して説明する。
【００３０】
キャビネット固定装置１００は、装置の基板を成すベース部材１０１、先端に係合部１１５を有してベース部材１０１に摺動移動可能に支持された固定部材１１０、ベース部材１０１に回動可能に支持された操作部材１２０、固定部材１１０と操作部材１２０との間に張り渡されて操作部材１２０が回動操作されたときにその操作力を固定部材１１０に伝達する引っ張りバネ１３０、係合部１１５が貫通孔部１１ｈから突出した状態を保持させる保持機構１４０などからなり、操作部材１２０を回動操作することで係合部１１５を貫通孔部１１ｈから突出させて上方に位置する支持部材Ｓに当接させ、引っ張りバネ１３０の弾性力を利用して係合部１１５を支持部材Ｓに押圧力を有して係合させ、保持機構１４０により押圧力を保持した状態で上記係合状態を保持させるように構成される。
【００３１】
引っ張りバネ１３０を除く主要な構成部材は、所定板厚の冷間圧延鋼板や亜鉛メッキ鋼板、ステンレス鋼板等の板材を用い、パンチングやベンディング、プレス等の公知の加工手段によって図示する各所定形状に成形したのち、必要に応じて所要の表面処理を施して形成される。
【００３２】
固定部材１１０は、概観視において略Ｔ字状をなし、上下に延びる支持板部１１１と、この支持板部１１１の上方で左右に延びる係合部１１５とからなる。支持板部１１１には表裏を貫通して上下に延びる長孔状のガイド孔１１１ａが形成され、支持板部１１１の下端には前方に折り曲げ成形されて引っ張りバネ１３０の掛支孔が形成された掛支片部１１１ｂが形成されている。また係合部１１５の上端には木材等に対して食い込み容易なエッジ１１５ａが形成されている。
【００３３】
固定部材１１０は、ガイド孔１１１ａ、および円筒端面で固定部材１１１の背面を支持するスペーサーカラー１１３，１２３を通してネジ１１２，１２２をベース部材にねじ止めすることで取り付けられ、ベース部材１０１の裏面側からナット１１４，１２４を締め付けることで各ネジがロックされる。これにより固定部材１１０はベース部材１０１上の前後方向の所定位置に上下にスライド移動可能に支持される。なお、図６では上下に位置する上記各支持部材のうち、下方のネジ１２２を挿通させるスペーサーカラー１２３およびナット１２４のみが現れている。
【００３４】
操作部材１２０は、糸巻き状に形成されたプーリ部１２１と、このプーリ部１２１の前面に取り付けられた操作レバー部１２５とからなる。プーリ部１２１は前後の円盤部と前後の円盤部に挟まれて円盤部よりも小径に形成された円柱部とからなり、前後の円盤部の間に引っ張りバネ１３０を巻き付けるようにして支持可能に形成されている。プーリ部１２１の中心には、ネジ１２２のねじ部を挿通させる支持孔が形成されるとともに、円盤部の所定方位角度位置にロック溝１２１ａが形成されている。
【００３５】
操作レバー部１２５は、概略矩形平板状をなし、その長手方向の端部近傍がそれぞれ前後に折り曲げられた形態を有して形成される。このうち図５に示す配設姿勢においてプーリ部１２１の左方に延びる操作レバー部には前方（手前側）に突出する摘み部１２５ａが形成され、またプーリ部の右方に延びる操作レバー部には後方に折り曲げ成形されて引っ張りバネ１３０の掛支孔が形成された掛支片部１２５ｂが形成されている。操作レバー部１２５は左右２本のネジ１２７でプーリ部１２１に固定される。
【００３６】
こうして連結された操作部材１２０は、固定部材１１０の前面側に重ねるように配設し、プーリ部１２１中心のネジ孔および前述した固定部材のガイド孔１１１ａにネジ１２２を挿通させ、スペーサカラー１２３を介してベース部材にねじ止めすることで固定部材１１０とともにベース部材１０１上に支持され、ナット１２４によりロック保持される。これにより、操作部材１２０は、ネジ１２２のねじ軸を回転中心として回動可能に、かつ固定部材１１０と相対移動可能に、ベース部材１０１上に支持される。
【００３７】
引っ張りバネ１３０は、いわゆるつるまきバネであり、一端が固定部材１１０の掛支片部１１１ｂに、他端が操作部材１２０の掛支片部１２５ｂに係止されて、操作部材１２０に作用する操作力を弾性的に固定部材１１０に伝達する。引っ張りバネ１３０の自由長は、図５に示す格納姿勢における両掛支片部１１１ｂ，１２５ｂの掛支孔間隔と同一またはこれよりも幾分短めに設定され、また引っ張りバネの材質、線径、外径および巻数等は後述する係止固定時における固定部材１１０の上下方向位置範囲、すなわち引っ張りバネ１３０の伸び量の範囲およびこの範囲における付勢力（弾性力）を基準として設定される。
【００３８】
保持機構１４０は、ベース部材１０１に固定された揺動ベース１４１、この揺動ベース１４１に揺動可能に支持されるロックレバー１４２、ロックレバー１４２を揺動ベースに揺動可能に支持させるネジ１４４、コイル部がネジ１４４のねじ軸に支持され、一端がロックレバー１４２に係止され他端がベース部材に当接して支持されて下面視においてロックレバー１４２を時計回りに付勢する捻りコイルバネ１４３、およびプーリ部に形成されたロック溝１２１ａなどから構成される。
【００３９】
ロックレバー１４２は、一端にプーリ部１２１のロック溝１２１ａと係合可能なロック片部１４２ａが形成されて上下円盤部の間に位置して配設され、他端がプーリ部１２１の中心から外方に向けて伸びて操作可能に配設される。ロックレバー１４２は、ネジ１４４のねじ軸を中心として揺動可能に支持されるとともに、常には捻りコイルバネ１４３により下面視における時計回り、すなわちロック片部１４２ａがベース部材１０１の方向に向かうように付勢され、プーリ部後方の円盤部に当接して支持されている。
【００４０】
さて、以上のように構成されるキャビネット固定装置１００の作用について、図５、図７および図８を参照しながら説明する。なお、図７は、図５に示した格納姿勢から固定部材１１０を突出させてキャビネットボックスを固定する設置作業の初期段階を、図８は図７の段階からさらに操作部材１２０を回動させてキャビネットボックスを固定設置させるロック段階を示している。
【００４１】
設置作業を行う作業者は、スロットマシンを遊技島における支持台（支持部材）上に載置してドア側アッセンブリ３０を開放し、例えば、支持台の前縁とキャビネットボックス１１の前端面との位置関係から、遊技島に対するスロットマシン１の前後方向位置および角度方向位置を調整する。このとき、キャビネット固定装置１００の固定部材１１０は、図５に示したようにキャビネットボックスの内部で格納姿勢にあるため、ボックス上方に位置する遊技島の支持部材Ｓと接触するようなことがなく、円滑に位置調整をすることができる。
【００４２】
スロットマシンを位置決めしたのち、作業者は操作レバー部１２５の摘み部１２５ａを下方に押圧して操作部材１２０を反時計回りに回動させる。このとき操作レバーの掛支片部１２５ｂがネジ１２２のねじ軸まわりに回動されて引っ張りバネ１３０がプーリ部１２１の外周部に巻き上げられ、固定部材１１０が引き上げられるようにしてガイド孔１１１ａに沿って上動されて係合部１１５が貫通孔部１１ｈを通ってキャビネットボックス上方に突出する（図５→図７）。
【００４３】
係合部１１５が貫通孔部１１ｈから突出してエッジ１１５ａが支持部材Ｓに当接すると、以降、固定部材１１０の自由な上動が規制される。一方、この状態ではロックレバーのロック片部１４２ａは未だロック溝１２１ａと係合しておらず、操作部材１２０は摘み部１２５ａに加えられる押圧力に従って回動可能である。このため係合部１１５が支持部材Ｓに当接した図７の状態からさらに摘み部１２５ａが下方に押圧操作されると、この操作力が引っ張りバネ１３０を弾性変形させて伸長させ、操作部材１２０が反時計回りに回動される（図７→図８）。
【００４４】
そして、操作部材１２０におけるプーリ部のロック溝１２１ａがロック片部１４２ａの方位角度位置まで回動されると、捻りコイルバネ１４３の付勢力によりロックレバー１４２が下面視における時計回りに揺動され、先端のロック片部１４２ａが下方の円盤部のロック溝１２１ａと係合する（図８）。こうしてロック片部１４２ａとロック溝１２１ａとが係合すると操作部材１２０の正・逆方向の回動がともに規制されて係止され、操作レバー１２５の摘み部１２５ａに加える操作力を開放してもこの係止状態が保持される。
【００４５】
係止状態では、係合部１１５におけるエッジ１１５ａが支持部材Ｓに当接した後、ロック片部１４２ａとロック溝１２１ａとが係合するまでに操作部材１２０が回動された回転角度（より具体的には引っ張りバネ１３０の伸長量）に応じた弾性力が付勢力として蓄積されており、係合部１１５上端のエッジ部１１５ａが支持部材Ｓに食い込んで係止されるとともに、このように蓄積された付勢力で支持部材Ｓに常時押圧された状態で保持される。
【００４６】
このため、支持部材Ｓの高さ位置が遊技島によって多少異なっていても、固定部材１１０が所定範囲内の付勢力をもって支持部材Ｓに押圧された状態でスロットマシンを固定設置可能であるとともに、遊技島の経時変化やエッジ部１１５ａの食い込み現象等により支持部材Ｓまたは固定部材１１０の上下方向位置が変化した場合であっても固定状態の緩みを防止し、長期にわたって確実な固定状態を維持させることができる。
【００４７】
スロットマシン１を固定設置する作業者は、以上説明したレバー操作を左右のキャビネット固定装置１００について行えばよく、熟練作業者によることなく簡単に設置することができる。
【００４８】
一方、スロットマシン１を遊技島から取り外す際には、ロックレバー１４２の上端側を押圧してロックレバー１４２を下面視における反時計回りに揺動させ、ロック片部１４２ａとロック溝１２１ａとの係合を解除させる。すると、引っ張りバネ１３０に蓄積された弾性力により操作部材１２０が時計回りに回動されるとともに、引っ張りバネ１３０の縮長に伴って固定部材１１０を上方に引き上げる付勢力が解除され、固定部材１１０が下方にスライド移動してキャビネットボックス１１の内部に収容される（図８→図７→図５）。このため、スロットマシンの着脱交換を極めて簡単に行うことができる。
【００４９】
なお、以上ではキャビネット固定装置１００をキャビネットボックス１１の上部に直接固定する例を説明したが、図９に示すように、キャビネット固定装置１００を装置ケース１８０で覆い、特定の作業者のみが操作可能に構成することもできる。
【００５０】
例示する装置ケース１８０は、キャビネット固定装置１００の周囲を覆う箱状のケース部材１８１と、このケース部材１８１の前面側に着脱開閉可能に取り付けられて施錠装置１８５が設けられた蓋部材１８２とから構成され、常には施錠装置１８５により閉鎖施錠されて不正操作ができないように構成されている。ケース部材１８１の上面には、取付姿勢において貫通孔部１１ｈと位置整合して開口するスリット孔１８１ｈが形成されており、このスリット孔１８１ｈを通って昇降移動する固定部材１１０（係合部１１５）を、既述した貫通孔部１１ｈを通してキャビネットボックス１１の上面に出没移動させることができるように構成される。
【００５１】
このような構成によれば、施錠装置１８５の鍵を有する特定の作業者のみがキャビネット固定装置１００を利用して着脱作業を行うことができ、不正操作な着脱操作を有効に防止することができる。
【００５２】
なお、装置ケース１８０を用いない他の不正防止手段として、例えば、ロック片部１４２ａがロック溝１２１ａと係合した状態でロック部材１４２の揺動をロックする施錠装置を設ける構成としてもよい。また、以上説明した各実施例では弾性部材として引っ張りバネを例示したが、例えば、操作レバーを固定部材の下部に揺動可能に枢支するとともに操作レバーと固定部材との間に圧縮バネを配設する構成としてもよく、また保持手段の一例としてロックレバーをプーリ部外周に設けたロック溝と係合させて操作部材の回転を係止する形態を例示したが、例えば操作レバー部を所定回転角度位置で係止するように構成してもよい。また、固定部材１１０をキャビネットの上方に出没移動させる形態を例示したが、島設備の設置状況に応じて左右方向に出没させる形態やこれらを組み合わせた形態であってもよい。
【００５３】
次に、上述したキャビネット固定装置１００（第一実施形態）の改良例として形成されたキャビネット固定装置２００について説明する。なお、キャビネット固定装置２００の構成部品に参照される番号の後ろ２桁が上記キャビネット固定装置１００に参照される番号と同じ部品については機構的に同様の作用をなす部品を意味している。
【００５４】
まず、図１０は図４中の矢印Ｘ−Ｘ方向に見た格納姿勢におけるキャビネット固定装置２００の正面図、図１１は図１０中の矢印ＸＩ−ＸＩに沿ったキャビネット固定装置２００の断面図、図１２および図１３はキャビネット固定装置２００を用いてキャビネットボックス１１を固定する際の作用を示す説明図（ともに図１０と同様の正面図）である。なお、以降キャビネット固定装置２００の説明にあたっては、図１０における上下・左右方向をそれぞれ上下・左右と称し、図１０における紙面の表面側（手前側）を前方、裏面側を後方と称して説明する。また、図１０、１２、１３においてキャビネットボックス１１は省略されているが、上述するキャビネット固定装置１００の説明で参照される図５等を参照すれば理解されよう。さらに、図１６を参照すれば図４の矢印Ｖ−Ｖ方向に見たキャビネット固定装置２００の背面図が示されている。これより第一実施形態としてのキャビネット固定装置１００では固定部材１１０を滑動させる種々の機構をベース部材１０１の外部に装着し外部から機構が視認できるように構成されているのに対し第二実施形態たる本キャビネット固定装置２００においてはベース部材２０１を固定部材２１０等の部品を被覆し外部から見えないようにしていることがわかる。
【００５５】
キャビネット固定装置２００は、概ね装置の基板を成すベース部材２０１、先端に係合部２１５を有してベース部材２０１に摺動移動可能に支持された固定部材２１０、ベース部材２０１に回動可能に支持された操作部材２２０、固定部材２１０と操作部材２２０との間に張り渡されて操作部材２２０が回動操作されたときにその操作力を固定部材２１０に伝達する引っ張りバネ２３０、図１１に示すようにベース部材２０１との間に空間を形成するようにベース部材２０１内に固定された回転支持台２５０、操作部材２２０の回転操作と反対方向に力を作用させるべく回転支持台２５０と操作部材２２０との間に張り渡された補助引っ張りバネ２５４、係合部２１５が貫通孔部１１ｈから突出した状態を保持させる保持機構２４０からなる。すなわち、本キャビネット固定装置２００によれば操作部材２２０を回動操作することで係合部２１５を貫通孔部１１ｈから突出させて上方に位置する支持部材（図示せず）に当接させ、引っ張りバネ２３０の弾性力を利用して係合部２１５を支持部材に押圧力を有して係合させ、保持機構２４０により押圧力を保持した状態で上記係合状態を保持させるとともに、保持機構２４０が解除されると係合部２１５の係合状態も解除され補助引っ張りバネ２５４の弾性力により操作部材２２０は回転を戻され、元状態（初期状態）に到るように構成されている。
【００５６】
なお、引っ張りバネ２３０、補助引っ張りバネ２５４、操作部材を構成するプーリ２２１（後述）等を除く主要な構成部材は、所定板厚の冷間圧延鋼板や亜鉛メッキ鋼板、ステンレス鋼板等の板材を用い、パンチングやベンディング、プレス等の公知の加工手段によって図示する各所定形状に成形したのち、必要に応じて所要の表面処理を施して形成される点についてはキャビネット固定装置１００と同様である。
【００５７】
固定部材２１０は、概観視においてはキャビネット固定装置１００の固定部材１１０と概ね同じ形状であるが、固定部材２１０の場合には上下に延びる支持板部材２１１に固定部材２１０を滑動（摺動）させるためのガイド孔（図５参照番号１１１ａ参照）が設けられていない。代替として本キャビネット固定装置２００では固定部材２１０が回転支持台２５０内で滑動できるように該支持台２５０を貫通する開口２５０ａ、ｃが設けられ、両開口で案内されて滑動する。また、この滑動について下方向は係合部２１５が回転支持台２５０の上部エッジ２５０ｃに係合することで規制され、上方向には支持板部材２１１の下端に設けられた折り曲げ部２１１ａが開口２５０ｂのエッジに係合することで規制される。
【００５８】
また、操作部材２２０は、糸巻き状に形成されたプーリ部２２１と、このプーリ部２２１の前面に取り付けられた操作レバー部２２５とからなる。プーリ部２２１は前後の円盤部と前後の円盤部に挟まれて円盤部よりも小径に形成された円柱部とからなり、前側の円盤部と円柱部とがプラスティック材料で一体に形成され、後側の円盤部が亜鉛メッキ鋼板等の金属材料で形成されており、前後の円盤部の間に引っ張りバネ２３０と補助引っ張りバネ２５４とを巻き付けるようにして支持可能に形成されている。プーリ部２２１の中心には、ネジ２２２のねじ部を挿通させる支持孔が形成されるとともに、後側円盤部の所定方位角度位置にロック溝２２１ａが形成されている。
【００５９】
また、操作レバー部２２５は、プーリ部２２１側を概略矩形とし操作側（反対側）をテーパ形状とした平板状をなし、操作側端部近傍が後側に折り曲げられて形成されている。操作レバー部２２５は左右２つの位置２２７、２２８においてプーリ部２２１にリベット結合されている。
【００６０】
こうして結合された操作部材２２０は、固定部材２１０の前面側に重ねるように配設し、プーリ部２２１中心のネジ孔に回転支持台２５０の中心で一体に設けられ前後に貫通するカラー２５０ｄを挿通させ、カラー２５０ｄを介して回転支持台２５０にねじ止めすることで回転支持台２５０に支持される。さらに、固定部材２１０の支持板部材２１１は回転支持台２５０の下方に位置するため、操作部材２２０はネジ２２２のねじ軸を回転中心としベース部材２０１に対して回動可能となり、固定部材２１０に対して互いに相対的に滑動移動可能となるようにベース部材１０１上に支持される。
【００６１】
また、引っ張りバネ２３０は、いわゆるつるまきバネであり、一端が固定部材２１０の支持板部材２１１の下端近傍に、他端が操作部材１２０、特にプーリ部２２１の後側円盤部に係止されて、操作部材２２０に作用する操作力を弾性的に固定部材２１０に伝達する。この引っ張りバネ２３０の特徴、作用については同様の特徴、作用を形成する前述の第一実施形態たるキャビネット固定装置１００の説明を参照する。
【００６２】
また、補助引っ張りバネ２５４も引っ張りバネ２３０同様つるまきバネで構成され、図１０に示すように一端が回転支持台２５０の右上部に設けられた掛支片部２５０ｅに、他端が操作部材２２０、特にプーリ部２２１の前側円盤部に係止されて、操作部材２２０の回転を戻す方向に力を作用させる。これにより後述する保持機構２４０が解除されたときに操作部材２２０を元状態に戻す、すなわち突出状態で保持された固定部材２１０を完全に戻し、係合部２１５をベース部材２０１内に格納させることができる。
【００６３】
次に保持機構２４０について図１１、１４、１５を参照しつつ説明する。図１４、１５はそれぞれ図１０の矢印ＸＩＩ−ＸＩＩ、図１３の矢印ＸＩＩＩ−ＸＩＩＩに沿った断面図である。保持機構２４０は、左右方向に長い略矩形板状を形成し前後方向（図１０の紙面に垂直な方向）に伸縮する板バネ２７０と、プーリ部２２１の後側円盤部に設けられたロック溝２２１ａと、解除ボタン２８０とから構成されている。板バネ２７０は図１１、１４に示すように通常、回転支持台２５０より下方で固定部材の支持板部材２１１に当接して配設されており、一端が回転支持台２５０に固定され、他端がプーリ部座２２１の後側円盤部を下方に押圧するように突出したキー部２７０ａを備えている。固定部材の操作レバー２２５が図１０の状態から回転操作され、図１２を経て図１３に到る前の状態においては図１１、１４の状態が保持されプーリ部２２１は回転可能である。また、板バネ２５２の後側（図１１、１４においては下方側）には解除ボタン２８０が設けられ、解除ボタン２８０はベース部材２０１の背面に設けられた開口２０１ａと同心円状に配設されており、図１１、１４の際には、すなわち操作レバー２２５が図１０、１２の場合には端部が開口２０１ａから突出していない。この状態の板バネ２７０は回転支持台２５０方向に縮められた状態であり、下方への伸びをキー部２７０ａがプーリ２２１を押圧することで規制している。その後、操作レバー２２５が更に回転され、図１３の状態まで到達し、完全に固定部材の係合部２１５が突出した状態に到ったプーリ部２２１に設けられた上述の溝２２１ａがキー部２７０ａと一致する。この際、板バネ２７０の作用によりキー部２７０ａは後側（図１１の下側）に移動し、溝２２１ａと噛み合うこととなり、解除ボタンの端部もベース部材２０１の開口２０１ａから突出する（図１５参照）。従って、操作レバー２２５への回転操作力を解除しても解除ボタン２８０への押圧力が作用しない限り操作部材２２０はロックされ図１３の状態を保持し続けることとなる。さらに、ロック解除について説明すれば、図１５に示すように開口２０１ａから突出した解除ボタン２８０を矢印Ｙ方向に押圧すれば板バネ２７０も矢印Ｙ方向に縮められ、溝２２１ａに噛み合っていたキー部２７０ａも持ち上げられ、ロック解除され、補助引っ張りバネ２５４の作用によりプーリ部２２１が回転（図１０における右回転）し、図１０に示す元状態に戻される。以上により本実施形態における保持機構２４０の構成、作用が理解されるであろう。
【００６４】
さらに、キャビネット固定装置２００の背面図を表した図１６を参照すればベース部材２０１の背面側表面には解除ボタン２８０が位置する開口２０１ａの他に略矩形の開口２０１ｂが存在することがわかる。図示しないがこの開口２０１ｂの下には板バネ２７０が配置されていないため、開口２０１ｂから固定部材２１０の支持板部材２１１が視認できることとなる。この開口２０１ｂから視認できる支持板部材２１１の表面に帯状に赤及び青の２色が付与されている。図１５で点線、操作部材２１０のみ抽出した図１６では実線で示されている。例えば、係合部２１５側の斜線領域２８２を青色とし、支持板部材２１１側の格子領域２８４を赤色にすると、固定部材２１０がベース部材２０１内に格納された状態（図１０参照）では開口２０１ｂを見れば外部から青色が確認され、係合部２１５がベース部材２０１から出した状態（図１２、１３参照）では赤色が確認されることとなる。従って、キャビネット固定装置２００の背面を視認すれば内部に存在する固定部材２１０の格納状態を一見して理解することができる。
【００６５】
さらに、上述する補助引っ張りバネ２５４はロック解除された際にプーリ部２２１を回転させるためだけでなく、固定装置２００の非使用時に固定部材２１０がベース部材２０１内に格納した状態で保持させる効果をも奏する。上述するように補助引っ張りバネ２５４はプーリ部２２１が右回転するように力を作用させるため、特に操作レバー２２５に操作力を付与しない場合には固定部材２１０を格納状態で保持させるからである。従って、補助引っ張りバネ２５４を備えた固定装置２００は係合部２１５が下向きになるように配置しても操作レバー２２５の操作のみに対応して係合部２１５を出没させることが可能となり、固定装置２００を遊技機を下方の支持部材に固定支持させる目的で使用する場合にも適している。さらに、これは固定装置２００の搬送時に損傷を回避することにも寄与することも理解されよう。
【００６６】
以上、第一実施形態のキャビネット固定装置１００の変形例としてのキャビネット固定装置２００の構成を説明してきた。このキャビネット固定装置２００の作用、設置方法等については概ねキャビネット固定装置１００の説明を参照すれば理解されるが、本キャビネット固定装置２００では、ベース部材２０１が固定部材２１０、操作部材２１０を被覆し、該装置のケースとしての機能をも果たしている。また、解除ボタン２８０、補助引っ張りバネ２５４を備えたことにより本固定装置２００を解除し遊技機を支持部材から除去するときにも外部から容易に固定装置２００の解除を実行することができる。また、補助引っ張りバネ２５４を備えたことにより非使用時の固定部材２１０を格納状態に保持させることもできる。さらに、ベース部材２０１の背面を見れば直ちに固定装置２００内の固定部材２１０の格納状態（係合部２１５の突出状態）がわかるため遊技機が確実に支持されているか否かを一見することができ安全性を向上させる効果をも奏する。
【００６７】
【発明の効果】
以上説明したように、本発明の固定装置は、操作部材を回動操作して係合部を出没移動させる簡単な操作で遊技機の入れ替え作業等、特定対象物を支持部材に固定設置することができ、専門の作業者によることなく容易にかつ僅かな作業工数で遊技機等の特定対象物を支持部材に着脱交換することができる。また、本固定装置によれば資源リサイクル上の問題を解決して既存の支持部材に特定対象物を固定設置することができる。
【００６８】
また、本固定装置によれば、支持部材の構成寸法にばらつきがあり特定対象物と支持部材との間の距離が一定でない場合であっても、固定部材の係合部を支持部材に押圧付勢させて係合状態を保持させることが可能であり、支持部材の変形にも逐次対応しながら固定状態の緩みを防止し、長期にわたって確実な固定状態を維持させることができる。また、本固定装置によれば、固定状態の保持・解除が容易であり、又、特定対象物を上下方向どちらの支持部材にも容易に固定支持することができる。
【００６９】
さらに、本発明の固定装置は、小型であり特定対象物に装着するだけで該特定対象物を支持部材に固定させることができるため種々の特定対象物の固定に使用することができる。
【図面の簡単な説明】
【図１】本発明に係る固定装置を装着する特定対象物の一例として示すスロットマシンの外観図であり、図（ａ）はスロットマシンの正面図を、図（ｂ）は右側面図を示す。
【図２】図１（ｂ）中の矢印ＩＩ−ＩＩに沿った方向に見たキャビネット側アッセンブリの正面図である。
【図３】図１（ｂ）中の矢印ＩＩＩ−ＩＩＩに沿った方向に見たドア側アッセンブリの背面図である。
【図４】上記スロットマシンにおけるキャビネットボックスの構成および本発明に係る固定装置の配置例を示す斜視図である。
【図５】図４中の矢印Ｖ−Ｖ方向に見た格納姿勢における固定装置の第一実施形態の正面図である。
【図６】図５中の矢印ＶＩ方向に見た固定装置の下面図である。
【図７】上記固定装置の作用を説明する説明図であり、図５に示した格納姿勢から固定部材を突出させてキャビネットボックスを固定する設置作業の初期段階を示す正面図である。
【図８】図７に続いて上記固定装置の作用を説明する説明図であり、図７の段階からさらに操作部材を回動させてキャビネットボックスを固定設置させるロック段階を示す正面図である。
【図９】装置ケースに収容した実施形態の固定装置の外観を示す斜視図である。
【図１０】図４中の矢印Ｘ−Ｘ方向に見た格納姿勢における固定装置の第二実施形態の正面図である。
【図１１】図１０中の矢印ＸＩＩ−ＸＩＩ方向に見た固定装置の下面図である。
【図１２】図１０に示した格納姿勢から固定部材を突出させた固定装置の初期作動を示す正面図である。
【図１３】図１２の段階からさらに操作部材を回動させた固定装置の正面図である。
【図１４】ロック解除された状態の保持手段を示す図１３の矢印ＸＩＩＩ−ＸＩＩＩ方向に見た断面図である。
【図１５】ロック状態の保持手段を示す図１４の変形図である。
【符号の説明】
１　スロットマシン
１１　キャビネットボックス
１１ｈ　貫通孔部
２１〜２４　遊技構成装置
３１　フロントマスク
１００、２００　キャビネット固定装置
１０１、２０１　ベース部材
１１０、２１０　固定部材
１１５、２１５　係合部
１２０、２２０　操作部材
１２１、２２１　プーリ部
１２１ａ、２２１ａ　ロック溝
１２５、２２５　操作レバー部
１３０、２３０　引っ張りバネ
１４０、２４０　保持機構
１４２　ロックレバー
２５０　回転支持台
２５４　補助引っ張りバネ
２７０　板バネ
【図１】
2004041690.tif 000003
【図２】
2004041690.tif 000004
【図３】
2004041690.tif 000005
【図４】
2004041690.tif 000006
【図５】
2004041690.tif 000007
【図６】
2004041690.tif 000008
【図７】
2004041690.tif 000009
【図８】
2004041690.tif 000010
【図９】
2004041690.tif 000011
【図１０】
2004041690.tif 000012
【図１１】
2004041690.tif 000013
【図１２】
2004041690.tif 000014
【図１３】
2004041690.tif 000015
【図１４】
2004041690.tif 000016
【図１５】
2004041690.tif 000017